(57)【特許請求の範囲】
【請求項１】
振動トラフ内において、下流側に向かって若干下向き傾斜として延びる複数本の篩棒を平行に並べてガラス瓶・金属缶等の重量物を篩下としフイルム・シート類等の軽量物を篩上とする一定の目開きの篩面を形成させ、前記各目開きのそれぞれの直下方に樋状の篩下移送トラックが所定の長さに設けられた篩ユニットが下方への段差を介して下流側へカスケード状に多段に配置されて、上段となる前記篩ユニットの篩棒の下流端が下段となる前記篩ユニットの上流端部の直上方まで延在し、かつ上段の前記篩下移送トラックの下流端と下段の前記篩下移送トラックの上流端との間にガラス瓶・金属缶等の重量物を落下させる間隙が設けられていることを特徴とするフイルム・シート類の振動選別装置。
【請求項２】
前記振動トラフが下流側へ向かって下向き傾斜に設置されている請求項１に記載の振動選別装置。
【請求項３】
前記篩下移送トラックが下流端部における底面の深さを前記目開きの大きさと同程度以下として上流側へ向かって下向き傾斜に設けられている請求項１または請求項２に記載の振動選別装置。
【請求項４】
前記篩下移送トラックが下流端部における底面の深さを前記目開きの大きさと同程度以下として前記篩棒と平行に無傾斜に設けられている請求項１または請求項２に記載の振動選別装置。
【請求項５】
前記篩下移送トラックが、下流端部における底面の深さを前記目開きの大きさと同程度以下として前記上流側へ向かって下向き傾斜から前記無傾斜の範囲内で傾斜角度を調整可能に設けられている請求項１または請求項２に記載の振動選別装置。
【請求項６】
下段の前記篩下移送トラックの傾斜角度が上段の前記篩下移送トラックの傾斜角度より緩くなるように設定されている請求項１または請求項２に記載の振動選別装置。
【発明の詳細な説明】
【０００１】
【産業上の利用分野】
本発明は振動選別装置に関するものであり、更に詳しくはフイルム・シート類等の軽量物とガラス瓶・金属缶等の重量物との混在物からフイルム・シート類等の軽量物を選別除去するための振動選別装置に関するものである。
【０００２】
【従来の技術及びその問題点】
近年、一般家庭から排出されるガラス瓶・金属缶はリサイクル可能な資源ごみとして主としてプラスチックのフイルム・シート等の袋に入れた状態で分別収集されている。ガラス瓶・金属缶をリサイクルに回すには、先ずこれらの入ったプラスチックのフイルム・シート等の袋を破袋機にかけて袋を破り、次いでガラス瓶・金属缶の選別回収プロセスで支障になる破袋片としてのフイルム・シート類が除去される。しかし、フイルム・シート類とガラス瓶・金属缶との選別に好適な装置は未だ開発されておらず、最新式の選別処理工場でさえ手作業に頼っているのが現状である。
【０００３】
また、高速道路のサービスエリヤ、テーマパーク、交通機関等から排出される一般ごみはガラス瓶・金属缶のほか弁当箱、紙袋、新聞紙等を含むが、やはりプラスチックフイルムの袋に入れた状態で収集され、これらも破袋後にプラスチックのフイルム・シート類や紙類を可燃物として除去することが行われる。
【０００４】
これらフイルム・シート類の選別装置としては、既に提案されているものとして、実開昭６１−１８７２７６号公報に係る「トロンメルスクリーン」がある。これは周側面に篩目を設けたドラム内に塵芥を投入し、ガラス屑とビニール・シートなどとの選別を行うものである。また、特開平４−２６７９７７号公報に係る「破棄物選別装置」においては、上向きに移動する多数の孔をあけた傾斜ベルト上に破棄物を供給し、供給位置のベルト下面に吸引室を設けると共にベルトに超音波をかけるベルトコンベヤが開示されている。すなわち、ビニールシートの如き軽量物はベルトに吸引されて上方へ移動し、重量物は自重でベルトを下方へ移動して選別されるベルトコンベヤ選別装置である。このほかフイルム・シート類を櫛歯で掬い上げる方法も考えられるが、真空吸引する方法も含め装置が複雑化するので必ずしも好ましい方法ではない。
【０００５】
【発明が解決しようとする問題点】
本発明は上述の問題に鑑みてなされ、フイルム・シート類等の軽量物をガラス瓶・金属缶等の重量物から選別分離するための簡易な振動選別装置を提供することを目的とする。
【０００６】
【問題点を解決するための手段】
以上の目的は、振動トラフ内において、下流側に向かって若干下向き傾斜として延びる複数本の篩棒を平行に並べてガラス瓶・金属缶等の重量物を篩下としフイルム・シート類等の軽量物を篩上とする一定の目開きの篩面を形成させ、前記各目開きのそれぞれの直下方に樋状の篩下移送トラックが所定の長さに設けられた篩ユニットが下方への段差を介して下流側へカスケード状に多段に配置されて、上段となる前記篩ユニットの篩棒の下流端が下段となる前記篩ユニットの上流端部の直上方まで延在し、かつ上段の前記篩下移送トラックの下流端と下段の前記篩下移送トラックの上流端との間にガラス瓶・金属缶等の重量物を落下させる間隙が設けられていることを特徴とするフイルム・シート類の振動選別装置、によって達成される。
【０００７】
【作用】
フイルム・シート類等の軽量物は振動トラフ内の篩ユニットの複数本の篩棒で形成される篩面の上を移送され、篩の目開き内へ垂れ下がる部分はあっても篩下移送トラックで受け止められるので全体はずり落ちることなく下流端まで移送される。一方、ガラス瓶・金属缶等の重量物は篩面から落下して篩下移送トラックを移送され、上段の篩ユニットにおける篩下移送トラックの下流端と下段の篩ユニットにおける篩下移送トラックの上流端との間の間隙から更に落下する。このようにしてガラス瓶・金属缶等の重量物からフイルム・シート類等の軽量物が選別除去される。
【０００８】
【実施例】
以下、本発明の実施例による振動選別装置について、図面を参照して説明する。
【０００９】
（第１実施例）図１は第１実施例の振動選別装置１００の側面図であり、図２は同平面図、図３は同正面図である。特に図１を参照して、振動選別装置１００は振動コンベヤをベースにして作製されており、フイルム・シート類Ｆとガラス瓶・金属缶Ｖとの未選別物を選別する振動トラフ１と、これに直線振動を与える駆動部７１とから成っている。そして、フイルム・シート類Ｆの移送速度を高めるべく振動トラフ１は下流側へ向かって下向き傾斜（水平面との角度１０度）に設置されている。
【００１０】
駆動部７１においては、振動トラフ１と下方のカウンタウエイト７２とがレンカー７３、およびレンカー７３と直角な方向のコイルばね８３によって連結されている。すなわち、レンカー７３は上端部と下端部とにそれぞれ溶接したゴムブッシュ７４を介して振動トラフの底面３のフレームに溶接固定されている取付板７５、およびカウンタウエイト７２に溶接固定されている取付板７５に取り付けられている。ゴムブッシュ７４は内筒７４ａが取付板７５に固定され、外筒７４ｂは取付板７５とは独立しており、内筒７４ａと外筒７４ｂとは環状のゴム７４ｃで加硫接着されている。
【００１１】
レンカー７３にはその中央部に上述のゴムブッシュ７４と同様なゴムブッシュ７６が取り付けられている。ゴムブッシュ７６の内筒７６ａはレンカー７３に固定され、外筒７６ｂは逆Ｕ字形状のアンカーボルト７７によりベース部材７８に締め付けて固定されている。そして、ベース部材７８は傾斜調節部材７９と防振コイルばね８１を介して床面上の架台８２ａまたは８２ｂ上に設置されている。
【００１２】
また更には、カウタウエイト７２上にはモータ８４が固定され、偏心軸８５をベルト駆動する。偏心軸８５にはロッド８６が取り付けられており、ロッド８６はその先端部をゴム板スプリング８７で挟持する連結部８８を介して振動トラフ１の底面３のフレームと一体的な取付板８９に連結されている。そして、モータ８４が起動されて偏心軸８５が回転運動すると、これはロッド８６の往復運動に転換されて、振動トラフ１に矢印ａで示す方向の直線振動を与え、振動トラフ１内の選別対象物は図１、図２において矢印ｂで示す方向の移送力を受ける。
【００１３】
振動トラフ１内には、図１、図２を参照して、上流側から順にフイルム・シート類Ｆとガラス瓶・金属缶Ｖとの未選別物の受入台４と分散台５、および篩ユニット部６1 が設けられている。
【００１４】
すなわち、受入台４は下流側へ向かって若干下向き傾斜とされ、図示しない破袋機からの未選別物が投入される。また受入台４の下流端から下方への段差Ｄ1 を介して投入された未選別物を拡げ、かつガラス瓶・金属缶Ｖの軸心を移送方向に配向させる分散台５が同じく下流側へ向かって若干下向き傾斜に設けられている。
【００１５】
篩ユニット部６1 においては、図１〜図３、および篩ユニット部６1 の部分斜視図である図４、図２における［５］−［５］線方向の断面を示す図５を参照して、篩ユニット１０1 、２０1 、３０1 、４０1 、５０1 、６０1 がそれぞれ下方への段差Ｄ3 を介して移送方向へ６段のカスケード状に配設されている。そして、最上段の篩ユニット１０1 の上流側端部は上流側の分散台５の直下方に挿入され、分散台５との間に段差Ｄ2 が形成されている。
【００１６】
各篩ユニット１０1 、２０1 、・・・、６０1 は同様に構成されているので、篩ユニット１０1 について説明するに、篩ユニット１０1 は６本の丸棒１１1 が、軸心を移送方向に向けたガラス瓶・金属缶Ｖを落下させる目開きＳを設け、移送方向にすなわち下流側に向かって若干下向き傾斜として平行に並べて篩面とされている。そして、丸棒１１1 の下流端は下段の篩ユニット２０1 の上流端部の直上方まで延在している。図２〜図４に示すように、６本の丸棒１１1 の目開きＳの下方を受けるように、丸棒１１1 の上流端から下流側への所定の範囲において、上流端の断面をＵ字形状とし、下流端の断面を上開きの半円弧状として、上流側へ向かって下向き傾斜で幅方向に連接された５連の篩下移送トラック１２1 が設けられ、それぞれの両側縁は丸棒１１1 に溶接固定されている。そして、図２、図４に示すように、両端の丸棒１１1 は振動トラフ１の両側壁２ａ、２ｂに対し、取付プレート１３ａ、１３ｂを介して溶接固定されている。
【００１７】
上述したように各篩ユニットは同様に構成されているので、例えば篩ユニット２０1 には丸棒２１1 、篩下ユニット２２1 のように、下一桁を篩ユニット１０1 と同一にした符号を付している。そして、篩下移送トラック１２1 の下流端と下段の篩別ユニット２０1 における篩下移送トラック２２1 の上流端との間にはガラス瓶・金属缶Ｖを落下させるための間隙Ｇ1 が設けられている。
【００１８】
振動トラフ１の下流端部はフイルム・シート類を排出する篩上排出口７とされ、振動トラフ１の底面３の下流端部にはガラス瓶・金属缶Ｖを排出する篩下排出口８が設けられている。
【００１９】
第１実施例によるフイルム・シート類Ｆの振動選別装置１００は以上のように構成されるが、次にその作用を説明する。
【００２０】
図１〜図４を参照して、破袋機から送られてくるフイルム・シート類Ｆとガラス瓶・金属缶Ｖとの混在する未選別物は振動トラフ１内の受入台４へ投入され山状になる。振動トラフ１は下流側へ向かって下向き傾斜とされ直線振動されているので未選別物は崩されつつ下流側、矢印ｂの方向へ移送され、段差Ｄ1 を落下しほぐされ乍ら分散台５へ移行する。
【００２１】
分散台５において、未選別物は幅一杯に拡げられると共に、ガラス瓶・金属缶Ｖは軸心を移送方向に向けるように配向されつつ、下流端における段差Ｄ2 を落下して篩ユニット部６1 における篩ユニット１０1 へ移行される。この時、段差Ｄ2 を落下することにより、未選別物は重量の大きいガラス瓶・金属缶Ｖがフイルム・シート類Ｆより下になる割合を増やして篩ユニット１０1 の丸棒１１1 による篩面に至る。
【００２２】
図５も参照して、破袋片としての面積形状の大きいフイルム・シート類Ｆは丸棒１１1 間に跨がるようにして篩面上を下流側へ移送される。フイルム・シート類Ｆの上にあるガラス瓶・金属缶Ｖに伴われて目開きＳ内へ垂れ下がる部分があっても、篩下移送トラック１２1 に受け止められるのでフイルム・シート類Ｆが下方へずり落ちることはない。
【００２３】
一方、配向されているガラス瓶・金属缶Ｖはそのまま丸棒１１1 間の目開きＳを落下し、配向が不十分なガラス瓶・金属缶Ｖも底部または首部から目開きＳ内へ落下して、篩下移送トラック１２1 内に受け止められる。そして篩下移送トラック１２1 の上流側へ向かって下向きの傾斜に沿いガラス瓶・金属缶Ｖは振動トラフ１内の全体の移送方向とは逆行して篩下移送トラック１２1 の上流端から底面３上へ落下する。
【００２４】
篩ユニット１０1 を通過したフイルム・シート類Ｆはそのまま篩ユニット２０1 へ移行され丸棒２１1 で形成される篩面上を移送される。また、篩ユニット１０1 において例えばフイルム・シート類Ｆの上にあり、かつ軸心方向への配向も十分でなかったガラス瓶・金属缶Ｖは篩ユニット１０1 をフイルム・シート類Ｆと共に通過し篩ユニット２０1 へ至るが、篩ユニット１０1 と篩ユニット２０1 との段差Ｄ3 を落下する時にフイルム・シート類Ｆと分離されるものを生じて篩ユニット１０1 におけると同様な選別が行われる。
【００２５】
そして、このような選別が続く篩ユニット３０1 、・・・、６０1 において繰り返されて、フイルム・シート類Ｆは下流端部における篩上排出口７から排出され、ガラス瓶・金属缶Ｖは底面３を下流側へ移送されて下流端部における篩下排出口８から排出される。以上のようにしてフイルム・シート類Ｆが選別除去され、有価物としてのガラス瓶・金属缶Ｖは更に選別された後にリサイクル工程へ送られる。
【００２６】
すなわち、第１実施例の振動選別装置１００においては、上述したように、篩下移送トラック１２1 は上流側へ向かって下向き傾斜とされているので、フイルム・シート類Ｆに比して重量が大きく、直線振動によって矢印ｂ方向への大きい移送力を受けて運動量の大きいガラス瓶・金属缶Ｖも篩下移送トラック１２1 を上流側へ逆行して確実に底面３へ落下するので、篩下移送トラック１２1 から間隙Ｇ1 を飛び越えて下段の篩ユニット２０1 における篩下移送トラック２２1 へ移送され、このような移送が下流端部まで続いて、下流端部でフイルム・シート類Ｆに混入し選別精度を低下させるというトラブルを避けることができる。
【００２７】
（第２実施例）第１実施例の振動選別装置１００は上述のような長所を有しているが、例えば篩下移送トラック１２1 は上流側へ向かって下向き傾斜とされ、その上流端部分において丸棒１１1 から篩下移送トラック１２1 の底面までの深さが大となっているのでフイルム・シート類Ｆの垂れ下がりが大となり、特に未選別物中のフイルム・シート類Ｆの含有率が大きい場合に、垂れ下がりに引きずられて篩下移送トラック１２内へずり落ちるフイルム・シート類Ｆの発生することがある。
【００２８】
図６は第２実施例の振動選別装置２００における篩ユニット部６2 の部分縦断面図であり第１実施例の図５に対応する図である。すなわち、第２実施例の振動選別装置２００はその篩ユニット１０2 、２０2 、３０2 、４０2 、５０2 、６０2 が第１実施例１００の篩ユニット１０1 、２０1 、・・・、６０1 と異なるが、図６に示す部分以外は第１実施例の振動選別装置１００と全く同様に構成されているので、それらの説明は省略する。
【００２９】
図６の篩ユニット２０2 、３０2 、・・・、５０2 を代表させて篩ユニット２０2 を説明するに、丸棒２１2 間の目開きＳの直下に設けられている篩下移送トラック２２2 は上流端と下流端を断面が上開きの半円弧状として、底面を丸棒２１2 と平行に取り付けられており、丸棒２１2 から篩下移送トラック２２2 の底までの深さは目開きＳの１／２程度に浅く設定されている。
【００３０】
丸棒２１2 の篩面へ供給される未選別物中のフイルム・シート類Ｆの含有率が大で、丸棒２１2 間の目開きＳから垂れ下がるものを生じても、篩下移送トラック２２2 の深さが浅いのでフイルム・シート類Ｆが篩下移送トラック２２2 内へずり落ちることはない。またこの場合、篩下移送トラック２２2 内へのフイルム・シート類Ｆの垂れ下がりの密度が高いので、運動量が大きく高速で移送されてくるガラス瓶・金属缶Ｖもこれらに衝突して移送速度が減殺され、篩下移送トラック２２2 から間隙Ｇ1 を飛び越えて下段の篩下移送トラック３２2 へ移行し、更には下流端まで移送されてしまうようなトラブルは発生しない。
【００３１】
しかし、逆に未選別物中のフイルム・シート類Ｆの含有率が低い場合には、ガラス瓶・金属缶Ｖは篩下移送トラック２２2 、３２2 、・・・を飛ぶように移送され移送速度が減殺されないので、フイルム・シート類Ｆにガラス瓶・金属缶Ｖが混入する場合を生じる。
【００３２】
（第３実施例）図７は第３実施例の振動選別装置３００における篩ユニット部６3 の部分破断側面図であり、第１実施例の図５に対応する図である。図７に図示する部分以外は第１実施例の振動選別装置１００と同様に構成されているので、それらの説明は省略する。
【００３３】
図７において篩ユニット１０3 、２０3 、３０3 、４０3 、５０3 が示されているが、これらは同様に構成されているので、篩ユニット２０3 について説明する。篩ユニット２０3 における６本の丸棒２１3 は篩下移送トラック２２3 の外面に接してこれを支持する５連の支持板９３と一体的に振動トラフ１の両側壁２ａ、２ｂに溶接固定されている。一方、丸棒２１3 とは独立し支持板９３に内接して５連の篩下移送トラック２２3 が設けられ、側壁２ａに接する部分において、篩下移送トラック２２3 の側面２２ａの下流端部に固定したピン９１が側壁２ａに軸支され、上流端部に立てたピン９２が側壁２ａに形成した円弧状の長孔２ｃ内へ挿通されている。このことは振動トラフ１の側壁２ｂ側についても同様である。
【００３４】
また、側壁２ａの外側においてピン９１に固定してレバー２３が設けられており、その他端部における長孔２３ｈに角度調整棒３５のピン３６が挿通されている。この角度調整棒３５の駆動源としてモータ３７が設けられており、その回転、反回転がギヤボック３８において角度調整棒３５の矢印ｃの方向の往復運動に変換される。そしてこの往復運動によって篩下移送トラック２２3 がピン９１の回りに矢印ｄの方向に回動され、篩下移送トラック２２3 を丸棒２１3 と平行で傾斜のない位置から図７に示すような、上流側へ向かって下向き傾斜の位置までの範囲内で傾斜させる。このことは勿論、他の篩ユニット１０3 、３０3 、・・・、６０3 においても同様であり角度調整ロッド３５によって同時に傾斜角度が変更される。そして、未選別物中のフイルム・シート類Ｆの含有率に応じて篩下移送トラック１２3 、２２3 、・・・、６２3 の傾斜角度を最適に設定することができる。
【００３５】
（第４実施例）図８は第４実施例の振動選別装置４００における篩ユニット部６4 の部分縦断面図であり、第１実施例の図５に対応する図である。この部分以外は第１実施例の振動選別装置１００と同様に構成されている。図８において、各篩ユニット２０4 、３０4 、４０4 、５０4 、６０4 は上流側の篩ユニット２０4 において篩下移送トラック２２4 の上流側へ向かっての下向き傾斜の角度が最も大きく、篩ユニット６０4 において傾斜角度は最も小さくされている。
【００３６】
なお上記における傾斜角度の調整機構を図９のＡ、Ｂに示した。図９のＡは篩ユニット部６4 の部分平面図であり、図９のＢは図９のＡにおける［Ｂ］−［Ｂ］線方向の断面図である。代表例としての篩ユニット３０4 について説明すれば、丸棒３１4 と、篩下移送トラック３２4 の外面に接してこれを支持する５連の支持板３４4 とが一体的に固定されており、取付プレート３３4 を介して振動トラフ１の側壁２ｂに溶接固定されている。そして５連の篩下移送トラック３２4 はそれぞれの支持板３４4 内に位置し、その下流側端部には回動軸３５があたかも挿通するように設けられ、側壁２ｂの外側において回動軸３５は座板３６、後述のレバー３７を介しナット３８で固定されている。
【００３７】
側壁２ｂの外側において回動軸３５に固定され、篩下移送トラック３２4 とは直角に下方へレバー３７が設けられており、他端部に設けたピン３９が座板３６上の長孔２ｅに挿入されてナット９４で締付け固定し得るようになっている。更には、篩下移送トラック３２4 の上流側端部において軸９５が５連の篩下移送トラック３４2 をあたかも挿通するように設けられ、側壁２ｂに設けた長孔２ｄを挿通しており、側壁２ｂの外側においてナット９６による締付け固定が可能となっている。このことは側壁２ａ側においても全く同様である。すなわち、篩下移送トラック３２4 は支持板３４4 内において回動軸３５の回りに任意の傾斜角度に設定される。
【００３８】
篩ユニット部６4 の上流側においては未選別物中のフイルム・シート類Ｆの含有率は相対的に低く、篩ユニット１０4 、２０4 、３０4 と進むにつれてガラス瓶・金属缶Ｖが選別されてゆくのでフイルム・シート類Ｆの含有率が相対的に高まってくる。この各篩ユニット２０4 、３０4 、・・・、６０4 の傾斜角度はそのフイルム・シートＦの含有率に応じて最も好ましい値に設定され得るので選別精度を高めることができる。
【００３９】
以上、本発明の各実施例について説明したが、勿論、本発明はこれらに限られることなく、本発明の技術的精神に基づいて種々の変形が可能である。
【００４０】
例えば各実施例においては振動トラフ１を下流側へ向かって下向き傾斜に設置したが、必ずしも下向き傾斜を必要とせず、水平に設置してもよい。
【００４１】
また、各実施例においては振動トラフ１に直線振動を与える駆動部７１としてモータ８４の回転によってロッド８６を往復させるクランク方式の加振機を採用したが、振動周波数の大きい振動電動機によって直線振動を与えるようにしてもよい。
【００４２】
また実施例においては、分散台５を平板面としたが、移送方向と平行に樋状の浅い窪みを設けてもよい。これによってガラス瓶・金属缶Ｖの配向が促進され、篩ユニット部６への移行する時点でガラス瓶・金属缶Ｖの殆どが軸心を下流側へ向けるようになる。
【００４３】
また、第３実施例を除く各実施例においては、例えば第１実施例の図４に示すように、篩下移送トラック１２1 は丸棒１１1 と共に一体として振動トラフ１の両側壁２ａ、２ｂに溶接固定したが、振動トラフ１の底面３上に移送方向と平行に立てた支持板で篩下移送トラック１２1 の底面を支持するようにしてもよい。
【００４４】
また、各実施例においては篩面の形成に丸棒を使用したが、必ずしも丸棒である必要はなく角棒を使用してもよい。
【００４５】
また、第３実施例においては篩下移送トラック１２3 、２２3 、・・・、６２3 の傾斜角度の調整に角度調整ロッド３５で同時に行うようにしたが、図７においてレバー２３、角度調整ロッド３５を含む調整機構を省略して、例えば篩下移送トラック２２3 の側面２２ｂを下流側端部のピン９１の回りに回動可能とし、上流側端部のピン９２を長孔９内の所定位置において例えばナットで固定するようにし、各篩下移送トラック１２3 、２２3 、・・・、６２3 を独立して各個に角度調整するようにしてもよい。
【００４６】
また、各実施例においては、ガラス瓶・金属缶Ｖの如き資源ごみとフイルム・シート類Ｆとの選別を例示したが、本発明の選別装置は一般ごみに含まれるガラス瓶・金属缶等の重量物とフイルム・シート類等の軽量物との選別にも使用され得る。
【００４７】
【発明の効果】
以上述べたように、本発明の請求項１、請求項２による振動選別装置によれば、多段に設けられた各篩ユニットにおいて、フイルム・シート類の篩面からの垂れ下がりは篩下移送トラックに受け止められ、フイルム・シート類はずれ落ちることなく篩面を移送されガラス瓶・金属缶等の重量物は篩面から落下するので、複雑な機構を用いることなくフイルム・シート類が選別される。
【００４８】
また、請求項３による振動選別装置によれば、篩下移送トラックが上流側へ向かって下向き傾斜に設けられているので、篩下移送トラック上においてガラス瓶・金属缶等の重量物は下流側への移行が阻止されて確実に振動トラフの底面へ落下し、特に未選別物中のフイルム・シート類の含有率が低い場合においてガラス瓶・金属缶等の重量物がフイルム・シート類へ混入することを避け得る。
【００４９】
また、請求項４による振動選別装置によれば、篩下移送トラックの底面の深さが浅いので篩面からのフイルム・シート類の垂れ下がり、ずり落ちが阻止され、特に未選別物中のフイルム・シート類の含有率が高い場合において、ガラス瓶・金属缶等の重量物中へのフイルム・シート類が混入することを避け得る。
【００５０】
また、請求項５による振動選別装置によれば、未選別物中のフイルム・シート類の含有率の大小に応じて篩下移送トラックの傾斜角度を最適の値に調整し得る。
【００５１】
また、請求項６による振動選別装置によれば、各段の篩ユニットを通過する毎にガラス瓶・金属缶等の重量物が選別除去され、フイルム・シート類の含有率が高まるので、それに応じて篩下移送トラックの傾斜角度を緩くしており、選別精度が高められる。
【図面の簡単な説明】
【図１】第１実施例の振動選別装置の側面図である。
【図２】同装置の平面図である。
【図３】同装置の正面図である。
【図４】第１実施例における篩ユニット部の部分斜視図である。
【図５】図２における［５］−［５］線方向の断面図である。
【図６】第２実施例における篩ユニット部の部分縦断面図であり、図５に対応する。
【図７】第３実施例における篩ユニット部の部分破断側面図である。
【図８】第４実施例における篩ユニット部の部分縦断面図であり、図５に対応する。
【図９】第４実施例における篩ユニット部の傾斜角度の調整機構を示し、図９のＡは部分平面図、図９のＢは図９のＡにおける［Ｂ］−［Ｂ］線方向の断面図である。
【符号の説明】
１      振動トラフ
４      受入台
５      分散台
６      篩ユニット部
１０    篩ユニット
１１    丸棒
１２    篩下移送トラック
２０    篩ユニット
２１    丸棒
２２    篩下移送トラック
３０    篩ユニット
４０    篩ユニット
５０    篩ユニット
６０    篩ユニット
７１    駆動部
１００  振動選別装置
Ｄ      段差
Ｇ      間隙
Ｆ      フイルム・シート類
Ｖ      ガラス瓶・金属缶
【図１】
0003624469.tif 000002
【図２】
0003624469.tif 000003
【図３】
0003624469.tif 000004
【図４】
0003624469.tif 000005
【図５】
0003624469.tif 000006
【図６】
0003624469.tif 000007
【図７】
0003624469.tif 000008
【図８】
0003624469.tif 000009
【図９】
0003624469.tif 000010